(57)【特許請求の範囲】
【請求項１】
コンバージョンレンズを装着するための係合部が内周に沿って形成されたリング状のマウント本体と、
前記マウント本体内に互いに前記マウント本体の直径方向に対向して配置されると共にそれぞれカメラ本体の撮影用レンズの鏡胴に係合するフックが形成された一対の円弧部材と、
前記一対の円弧部材の互いに対向する両端部の間にそれぞれ配置された一対の圧縮バネと、
前記マウント本体の外周部に回動自在に設けられると共に回動範囲の一端部において前記圧縮バネの付勢力に抗して前記一対の円弧部材を互いに近接するように移動させる回動リングと
を備えたことを特徴とするワンタッチマウント。
【請求項２】
前記マウント本体にネジ止されると共に前記マウント本体からの前記円弧部材、圧縮バネ及び回動リングの脱落を防止するマウント押さえ部材を備えたことを特徴とする請求項１に記載のワンタッチマウント。
【請求項３】
前記回動リングは内周部に形成され且つ互いに直径方向に対向する２組の突起部を有し、各円弧部材は外周部に沿って形成され且つ凸部が形成された段部を有し、前記回動リングは前記突起部が各円弧部材の段部に係合しつつ回動し、前記回動リングの１組の突起部がそれぞれ対応する円弧部材の段部の凸部に係合してこの凸部を前記マウント本体の中心方向へ押圧することにより双方の円弧部材が互いに近接するように移動することを特徴とする請求項１または２に記載のワンタッチマウント。
【請求項４】
各円弧部材の段部には円弧部材の厚さ方向に傾斜した傾斜部が形成され、前記回動リングの回動範囲の他端部において前記回動リングの他の１組の突起部がそれぞれ対応する円弧部材の傾斜部に係合することにより前記回動リングの回動動作をロックすることを特徴とする請求項３に記載のワンタッチマウント。
【請求項５】
請求項１〜４のいずれか一項に記載のワンタッチマウントのマウント本体にコンバージョンレンズが固定されていることを特徴とするワンタッチマウント付コンバージョンレンズ装置。
【発明の詳細な説明】
【０００１】
【発明の属する技術分野】
この発明は、ビデオカメラや３５ｍｍカメラ等の前部にコンバージョンレンズを装着するためのワンタッチマウントに関する。また、この発明は、このようなワンタッチマウントを備えたコンバージョンレンズ装置にも関している。
【０００２】
【従来の技術】
近年、小型でありながら解像度の優れた多種のビデオカメラが開発され、多用されている。このようなビデオカメラには、近景から遠景までを幅広く撮影できるようにズーム機能が備えられたものも多いが、その撮影範囲には限界があり、さらに遠くの被写体あるいは広角範囲の被写体まで明確に撮影するために、ビデオカメラの撮影用レンズの前部に取り付けて用いるコンバージョンレンズ装置の要望が高くなっている。
【０００３】
【発明が解決しようとする課題】
しかしながら、従来のこの種のコンバージョンレンズ装置は、ネジ着等によってカメラ本体の撮影用レンズの鏡胴に取り付けなくてはならず、取り付け／取り外しの操作が煩わしく、時間を要するという問題があった。
【０００４】
また、マウント部にフックが設けられ、レンズ枠に設けられたボタンを操作することによって、フックの表面に形成された突起部をカメラの撮影用レンズの鏡胴の凹部に係合させて取り付けるコンバージョンレンズ装置があるが、このコンバージョンレンズ装置は正しい取付位置に位置合わせして取り付けなくてはならないため装着が煩わしく、また保持力も弱いので触れたり僅かなショックでもカメラ本体から外れて落下し易いという問題があった。
【０００５】
本発明者は、特願平７−４９９１４号にて、カメラ本体にマウント部材をネジ着し、このマウント部材にレンズ本体をワンタッチで装着するようにしたコンバージョンレンズ装置を提案した。このコンバージョンレンズ装置によれば、一旦マウント部材をカメラ本体にネジ着しておくことにより、レンズ本体を容易に且つ強固に装着することができ、各種のレンズ本体を交換して使用することもできる。しかしながら、カメラ本体へのマウント部材の取り付けはネジ着によるため、マウント部材の取り付け／取り外しの操作は手間がかかるものであった。
【０００６】
この発明はこのような問題点を解消するためになされたもので、カメラ本体に容易に且つ強固に取り付けられる、コンバージョンレンズ装着用のワンタッチマウントを提供することを目的とする。
また、この発明は、このようなワンタッチマウントを備えたコンバージョンレンズ装置を提供することも目的としている。
【０００７】
【課題を解決するための手段】
この発明に係るワンタッチマウントは、コンバージョンレンズを装着するための係合部が内周に沿って形成されたリング状のマウント本体と、マウント本体内に互いにマウント本体の直径方向に対向して配置されると共にそれぞれカメラ本体の撮影用レンズの鏡胴に係合するフックが形成された一対の円弧部材と、一対の円弧部材の互いに対向する両端部の間にそれぞれ配置された一対の圧縮バネと、マウント本体の外周部に回動自在に設けられると共に回動範囲の一端部において圧縮バネの付勢力に抗して一対の円弧部材を互いに近接するように移動させる回動リングとを備えたものである。
【０００８】
マウント本体にマウント押さえ部材をネジ止すれば、マウント本体からの円弧部材、圧縮バネ及び回動リングの脱落を防止することができる。
【０００９】
回動リングの内周部に互いに直径方向に対向する２組の突起部を形成し、各円弧部材の外周部に沿って凸部を有する段部を形成し、回動リングは突起部が各円弧部材の段部に係合しつつ回動し、回動リングの１組の突起部がそれぞれ対応する円弧部材の段部の凸部に係合してこの凸部をマウント本体の中心方向へ押圧することにより双方の円弧部材が互いに近接するように移動するように構成することもできる。さらに、各円弧部材の段部に円弧部材の厚さ方向に傾斜した傾斜部を形成し、回動リングの回動範囲の他端部において回動リングの他の１組の突起部がそれぞれ対応する円弧部材の傾斜部に係合することにより回動リングの回動動作をロックするように構成することもできる。
【００１０】
また、この発明に係るワンタッチマウント付コンバージョンレンズ装置は、以上のようなワンタッチマウントのマウント本体にコンバージョンレンズが固定されたものである。
【００１１】
【発明の実施の形態】
以下、この発明の実施の形態を添付図面に基づいて説明する。
図１及び図２にこの発明の実施の形態に係るワンタッチマウントを示す。ワンタッチマウントは、リング状のマウント本体１を有しており、このマウント本体１内にそれぞれ半円弧状の一対の円弧部材２が互いにマウント本体１の直径方向に対向して配置されている。各円弧部材２にはカメラ本体の撮影用レンズの鏡胴に係合するフック２１が形成されている。一対の円弧部材２はそれぞれの円弧の両端部において圧縮バネ３を介して互いに対向しており、この圧縮バネ３により一対の円弧部材２は互いに離間する方向に付勢されている。マウント本体１の外周部には回動リング４が回動自在に設けられている。マウント本体１の上にはリング状のマウント押さえ部材５がネジ６により固定されており、このマウント押さえ部材５によって円弧部材２、圧縮バネ３及び回動リング４の脱落を防止している。
【００１２】
図３及び図４に示されるように、マウント本体１には、その内周部に沿ってコンバージョンレンズを装着するための段状の係合部１１が形成されると共に、外周部にはマウント本体１の軸方向に突出する環状の外壁部１２が形成されている。また、マウント本体１には、マウント押さえ部材５を固定するためのネジ６が螺合される四つのネジ孔１３が形成され、これらのネジ孔１３のうちマウント本体１の一直径上に位置する一対のネジ孔１３はそれぞれマウント本体１の軸方向に突出した突出部１４に形成されている。
【００１３】
図５及び図６に示されるように、円弧部材２の半円状の円弧の中央部には、円の中心方向に突出したフック２１が形成されると共に円弧の外方に向かって開口する切欠２２を有している。この切欠２２は、マウント本体１の突出部１４を受容するためのものである。切欠２２の両側に円弧の外周部に沿って段部２３及び２４が形成されている。段部２３と切欠２２との境界部には凸部２５が形成され、段部２４と切欠２２との境界部には、図７に示されるように、円弧部材２の厚さ方向に傾斜した傾斜部２６が形成されている。また、円弧部材２の両端部には圧縮バネ３が係合するための突起部２７が形成されている。
【００１４】
図８及び図９に示されるように、回動リング４には、マウント本体１の外壁部１２の内側に収容される環状の突条部４１が回動リング４の軸方向に突出して形成されている。回動リング４の内周部には、互いに直径方向に対向する２組の突起部４２及び４３が形成されている。突起部４２及び４３は、それぞれ円弧部材２の段部２３及び２４に係合するもので、互いに所定の間隔を隔てて配置されている。また、回動リング４の外周部には回動リング４を把持し易くするためにローレットが形成されている。
【００１５】
図１０及び図１１に示されるように、マウント押さえ部材５には、それぞれ円弧部材２のフック２１が挿入される一対の切欠５１が形成されると共に、マウント本体１のネジ孔１３に対応した位置に計四つの貫通孔５２が形成されている。また、マウント押さえ部材５には、マウント本体１の環状の係合部１１の外周に係合する環状の突条部５３がマウント押さえ部材５の軸方向に突出して形成されている。
【００１６】
ワンタッチマウントを組み立てる際には、まず、それぞれマウント本体１の突出部１４が切欠２２に挿入されるように一対の円弧部材２をマウント本体１の上に配置すると共にこれら円弧部材２の両端部の間にそれぞれ圧縮バネ３を配置する。圧縮バネ３の両端部は円弧部材２の突起部２７に係合される。次に、回動リング４の突条部４１をマウント本体１の外壁部１２の内側に収容させつつ回動リング４をマウント本体１の外周部上に配置する。このとき、回動リング４の突起部４２及び４３がそれぞれ対応する円弧部材２の段部２３及び２４に係合するように、すなわち突起部４２及び４３の間にマウント本体１の突出部１４が位置するように回動リング４が配置される。
【００１７】
さらに、切欠５１内に円弧部材２のフック２１が挿入されるようにマウント押さえ部材５をマウント本体１の上に配置する。このとき、マウント押さえ部材５の環状の突条部５３はマウント本体１の環状の係合部１１の外周に係合すると共にマウント本体１の四つのネジ孔１３の直上にマウント押さえ部材５の貫通孔５２が位置する。そこで、マウント押さえ部材５の貫通孔５２からネジ６を挿入してマウント本体１のネジ孔１３に螺合することによりマウント押さえ部材５をマウント本体１に固定する。４本のネジ６のうち２本のネジ６はマウント本体１の突出部１４に形成されたネジ孔１３に螺合されるが、他の２本のネジ６は圧縮バネ３を構成する条線の間を通ってマウント本体１のネジ孔１３に螺合される。このような構造とすることにより、極めて小型のワンタッチマウントを実現することができる。
【００１８】
ここで、図１２に示されるように、回動リング４の突起部４２及び４３はそれぞれ対応する円弧部材２の段部２３及び２４に係合しており、これら突起部４２及び４３の一方がマウント本体１の突出部１４に当接するまで回動リング４は回動自在となっている。図１２において回動リング４を時計方向に回動し、この回動範囲の一端部で回動リング４の１組の突起部４２がそれぞれ対応する円弧部材２の凸部２５に係合すると、各円弧部材２は圧縮バネ３により弾性的に移動自在になっているため、突起部４２が凸部２５をマウント本体１の中心方向へ押圧しつつ回動して凸部２５と回動リング４の内周部との間に入り込み、双方の円弧部材２が圧縮バネ３の付勢力に抗して互いに近接するように移動する。これにより、各円弧部材２に形成されたフック２１の間隔が狭まり、図１３に示されるようなカメラ本体の撮影用レンズの鏡胴７に容易に着脱できるようになる。
【００１９】
このようにしてフック２１によりワンタッチマウントをカメラ本体の撮影用レンズの鏡胴７に装着したら、今度は回動リング４を図１２において反時計方向に回動する。回動範囲の他端部に至ると、回動リング４の他の１組の突起部４３がそれぞれ対応する円弧部材２の傾斜部２６とマウント押さえ部材５との間の楔形状の空間部に押し込まれ、これにより回動リング４の回動動作がロックされる。図１３に示されるように、マウント本体１の側部及び回動リング４の側部にそれぞれ指標１５及び４４が設けられており、これらの指標１５及び４４が一致するまで回動リング４を回動したときに上述の回動動作ロック状態となる。従って、僅かなショックあるいは接触により回動リング４が回動してワンタッチマウントが鏡胴７から脱落する虞れはなく、ワンタッチマウントは強固に鏡胴７に装着される。
【００２０】
以上のようにワンタッチマウントを鏡胴７に装着し、回動リング４を回動してロック状態とした後、マウント本体１の段状の係合部１１を利用して図示しない所望のコンバージョンレンズをワンタッチマウントに装着する。
【００２１】
なお、図１４に示されるように、マウント本体１にフィルタをネジ着するためのネジ部１６を形成することもできる。コンバージョンレンズを装着する代わりに、ネジ部１６に所望のフィルタやネジ付コンバージョンレンズを装着して撮影することが可能となる。
【００２２】
また、図１５に示されるように、上述したワンタッチマウントのマウント本体１にコンバージョンレンズ８を嵌め込み、押さえ環９でコンバージョンレンズ８を固定すれば、ワンタッチマウント付のコンバージョンレンズ装置を構成することができる。
【００２３】
【発明の効果】
以上説明したように、この発明によれば、ネジ着によることなく、カメラ本体に容易に且つ強固に取り付け可能な小型のワンタッチマウントが実現される。さらに、ワンタッチマウントにコンバージョンレンズを固定すれば、カメラ本体に容易に且つ強固に取り付けることができるコンバージョンレンズ装置が実現される。
【図面の簡単な説明】
【図１】この発明の実施の形態に係るワンタッチマウントを示す一部破断側面図である。
【図２】ワンタッチマウントを示す正面図である。
【図３】ワンタッチマウントに用いられたマウント本体を示す正面図である。
【図４】ワンタッチマウントに用いられたマウント本体を示す一部破断側面図である。
【図５】ワンタッチマウントに用いられた円弧部材を示す正面図である。
【図６】図５のＡ−Ａ線断面図である。
【図７】ワンタッチマウントに用いられた円弧部材を示す要部平面図である。
【図８】ワンタッチマウントに用いられた回動リングを示す正面図である。
【図９】ワンタッチマウントに用いられた回動リングを示す一部破断側面図である。
【図１０】ワンタッチマウントに用いられたマウント押さえ部材を示す正面図である。
【図１１】図１０のＢ−Ｂ線断面図である。
【図１２】ワンタッチマウントの動作を説明するための概略透視正面図である。
【図１３】ワンタッチマウントをカメラ本体に装着した状態を示す一部破断側面図である。
【図１４】他の実施の形態に係るワンタッチマウントを示す一部破断側面図である。
【図１５】さらに他の実施の形態に係るワンタッチマウント付コンバージョンレンズ装置を示す一部破断側面図である。
【符号の説明】
１    マウント本体
２    円弧部材
３    圧縮バネ
４    回動リング
５    マウント押さえ部材
６    ネジ
７    鏡胴
８    コンバージョンレンズ
９    押さえ環
１１    係合部
２１    フック
２３，２４    段部
２５    凸部
２６    傾斜部
４２，４３    突起部
【図１】
0003794061.tif 000002
【図２】
0003794061.tif 000003
【図３】
0003794061.tif 000004
【図４】
0003794061.tif 000005
【図５】
0003794061.tif 000006
【図６】
0003794061.tif 000007
【図７】
0003794061.tif 000008
【図８】
0003794061.tif 000009
【図９】
0003794061.tif 000010
【図１０】
0003794061.tif 000011
【図１１】
0003794061.tif 000012
【図１２】
0003794061.tif 000013
【図１３】
0003794061.tif 000014
【図１４】
0003794061.tif 000015
【図１５】
0003794061.tif 000016